(57)【要約】【課題】  高周波コイルからなる加熱手段を利用してロッド状体を加熱処理するときに、両者間に設定された間隔を維持し得て設定された所定の加熱処理を実現できるようにする。【解決手段】  ロッド状体の焼入れ装置が、ロッド状体Ｗをこのロッド状体Ｗの軸線方向に移送する移送手段１と、この移送手段１で移送されたロッド状体Ｗをこのロッド状体Ｗの軸線を中心にして回転させる回転手段２と、この回転手段２で回転されながら移送手段１で移送されるロッド状体Ｗを加熱処理する高周波コイル３０からなる加熱手段３とを有してなり、移送手段１がロッド状体Ｗを回転手段２に向けて押し出す押出し機構１０を有し、回転手段２が移送手段１から移送されたロッド状体Ｗを同一の水準位置に水平状態に維持する安定機構２０を有し、加熱手段３が高周波コイル３０における環状に形成された加熱部３１の内側にロッド状体Ｗを挿通させる。【選択図】        図１
2006206992.tif 000002
【特許請求の範囲】
【請求項１】
移送手段でその軸線方向に移送されるロッド状体をこのロッド状体の軸線を中心にして回転手段で回転させながら高周波コイルからなる加熱手段で加熱してなるロッド状体の焼入れ方法において、移送手段がロッド状体を回転手段に向けて押し出し、回転手段が移送手段から移送されたロッド状体を同一の水準位置で水平状態に維持しながら回転させ、加熱手段が環状に形成された加熱部の内側に回転手段で回転されながら移送手段で移動されているロッド状体を挿通させて加熱してなることを特徴とするロッド状体の焼入れ方法
【請求項２】
ロッド状体をこのロッド状体の軸線方向に移送する移送手段と、この移送手段で移送されたロッド状体をこのロッド状体の軸線を中心にして回転させる回転手段と、この回転手段で回転されながら移送手段で移送されるロッド状体を加熱する加熱手段とを有してなるロッド状体の焼入れ装置において、移送手段がロッド状体を回転手段に向けて押し出す押出し機構を有すると共に、回転手段が移送手段から移送されたロッド状体を同一の水準位置に水平状態に維持する安定機構を有してなり、かつ、加熱手段が高周波コイルからなりながら環状に形成された加熱部の内側にロッド状体を挿通させてなることを特徴とするロッド状体の焼入れ装置
【請求項３】
押出し機構がロッド状体の軸線方向に進退すると共に前進時に先端をロッド状体の後端に当接するプッシュロッドを有してなる請求項２に記載のロッド状体の焼入れ装置
【請求項４】
安定機構が平行しながら同方向に回転してロッド状体を下方から支える二本の支えロールと、この二本の支えロールに支えられるロッド状体に上方から隣接してロッド状体を二本の支えロール上で安定させる抑えローラとを有してなる請求項２に記載のロッド状体の焼入れ装置
【発明の詳細な説明】
【技術分野】
【０００１】
この発明は、ロッド状体の焼入れ方法の改良およびロッド状体の焼入れ装置の改良に関する。
【背景技術】
【０００２】
凡そロッド状体、たとえば、ピストンロッドなどのロッド状体は、所定の機械的強度を有するように形成されるが、そのため、ロッド状体を焼入れ処理することが周知されている。
【０００３】
たとえば、特許文献１には、ロッド状体を高周波コイルからなる加熱手段で加熱して焼入れ処理する提案が開示されているが、このとき、ロッド状体は、加熱手段たる高周波コイルにおける環状に形成の加熱部の内側を挿通するとしている。
【０００４】
それゆえ、この特許文献１に開示されているところによれば、高周波コイルにおける加熱部の内側を挿通するロッド状体と通電されている高周波コイルとの間の相対移動によって、ロッド状体への焼入れ処理が可能になる。
【特許文献１】特開２００４−２９６８号公報（特許請求の範囲  請求項１，段落００１５，同００１７，同００１８，同００１９）
【発明の開示】
【発明が解決しようとする課題】
【０００５】
しかしながら、上記した特許文献１に開示の提案にあっては、所定の焼入れ処理たる加熱処理を実現するのが容易でないと指摘される可能性がある。
【０００６】
すなわち、上記の提案では、加熱手段たる高周波コイルにおける環状に形成の加熱部の内側をロッド状体が挿通するとき、両者間の間隔が設定通りに維持されていないと、所定の加熱処理を実現し得なくなると指摘し、さらには、ロッド状体の回転速度や移送速度を適宜に選択することが肝要としている。
【０００７】
しかし、ロッド状体の回転速度や移送速度を適宜に選択するとしても、また、高周波コイルにおける加熱部の内側をロッド状体が挿通するときの間隔を精緻に設定するとしても、ロッド状体がその回転時や移送時に上下動すると、上記した両者間の間隔維持が困難になり、設定した所定の加熱処理を実現できないことになる。
【０００８】
この発明は、このような現状を鑑みて創案されたものであって、その目的とするところは、高周波コイルからなる加熱手段を利用してロッド状体を加熱処理するときに、両者間に設定された間隔を維持し得て設定された所定の加熱処理を実現でき、その汎用性の向上を期待するのに最適となるロッド状体の焼入れ方法およびロッド状体の焼入れ装置を提供することである。
【課題を解決するための手段】
【０００９】
上記した目的を達成するために、請求項１にあって、この発明によるロッド状体の焼入れ方法の構成を、移送手段でその軸線方向に移送されるロッド状体をこのロッド状体の軸線を中心にして回転手段で回転させながら高周波コイルからなる加熱手段で加熱してなるロッド状体の焼入れ方法において、移送手段がロッド状体を回転手段に向けて押し出し、回転手段が移送手段から移送されたロッド状体を同一の水準位置で水平状態に維持しながら回転させ、加熱手段が環状に形成された加熱部の内側に回転手段で回転されながら移送手段で移動されているロッド状体を挿通させて加熱してなるとする。
【００１０】
また、請求項２にあって、この発明によるロッド状体の焼入れ装置の構成を、ロッド状体をこのロッド状体の軸線方向に移送する移送手段と、この移送手段で移送されたロッド状体をこのロッド状体の軸線を中心にして回転させる回転手段と、この回転手段で回転されながら移送手段で移送されるロッド状体を加熱する加熱手段とを有してなるロッド状体の焼入れ装置において、移送手段がロッド状体を回転手段に向けて押し出す押出し機構を有すると共に、回転手段が移送手段から移送されたロッド状体を同一の水準位置に水平状態に維持する安定機構を有してなり、かつ、加熱手段が高周波コイルからなりながら環状に形成された加熱部の内側にロッド状体を挿通させてなるとする。
【００１１】
そして、より具体的には、押出し機構がロッド状体の軸線方向に進退すると共に前進時に先端をロッド状体の後端に当接するプッシュロッドを有してなるとし、安定機構が平行しながら同方向に回転してロッド状体を下方から支える二本の支えロールと、この二本の支えロールに支えられるロッド状体に上方から隣接してロッド状体を二本の支えロール上で安定させる抑えローラとを有してなるとする。
【発明の効果】
【００１２】
それゆえ、この発明にあって、移送手段がロッド状体を移送することで、すなわち、押出し機構におけるプッシュロッドでロッド状体を回転手段に向けて押し出すことで、ロッド状体は、これが回転手段側から把持されながら引かれる場合に比較していたずらに外力作用を受けなくなり、したがって、爾後に回転手段で回転されるときにこの回転手段における安定機構で上下動しないように安定させ易くなる。
【００１３】
そして、移送手段にあって、押出し機構におけるプッシュロッドの前進速度を適宜に制御することで、回転手段で回転されながら加熱手段で加熱されるときのロッド状体における移動速度を任意に制御できることになる。
【００１４】
また、この発明にあって、回転手段がロッド状体を回転させるとき、ロッド状体は、安定機構における二本の支えロールの間に形成されるいわゆる谷部に臨在されると共に、この谷部にある状態下に上方から抑えローラが隣接されるから、ロッド状体が二本の支えロール上で同一水準位置に水平状態に維持された状態に安定し、上下動されなくなり、高周波コイルからなる加熱手段との間に設定される間隔を維持し得ることになる。
【００１５】
そして、加熱手段が高周波コイルにおける環状に形成の加熱部の内側に同一水準位置に水平状態に維持されて上下動しないロッド状体を挿通させるから、加熱手段は、この状態下で通電されることで、ロッド状体を加熱して設定された所定の加熱をし得ることになる。
【００１６】
その結果、この発明によれば、高周波コイルを利用してロッド状体を加熱するときに、両者間に設定された間隔を維持し得て設定された所定の加熱を実現するのに最適となる。
【発明を実施するための最良の形態】
【００１７】
以下に、図示した実施形態に基づいて、この発明を説明するが、この発明によるロッド状体の焼入れ方法は、以下に図示するロッド状体の焼入れ装置で具現化されるので、以下には、このロッド状体の焼入れ装置について説明しながら、ロッド状体の焼入れ方法について説明する。
【００１８】
ちなみに、この発明の具現化にあってのワークたるロッド状体は、この実施形態では、図示しないが、油圧緩衝器を構成するシリンダ体に対して出没可能に連繋して同じく油圧緩衝器を構成するロッド体たるピストンロッドとされている。
【００１９】
この前提の下に、この発明による焼入れ装置は、移送手段１と、回転手段２と、加熱手段３とを有してなるとし、図示するところでは、さらに、冷却手段４を有してなるとしている。
【００２０】
移送手段１は、ワークたるロッド状体Ｗをこのロッド状体Ｗの軸線方向に移送するもので、基本的には、後述する回転手段２に向けてロッド状体Ｗを移送させるものであれば自由な構成が選択されて良い。
【００２１】
そして、図示するところでは、移送手段１がロッド状体Ｗを回転手段２に向けて押し出す押出し機構１０を有してなるとし、この押出し機構１０は、ワークがロッド状体Ｗからなるから、このロッド状体Ｗを押し進めるときに他部に干渉する危惧がなく、円滑な移送を実現できるように、ロッド状体Ｗに相似する径のプッシュロッド１１を有してなるとしている。
【００２２】
このとき、このプッシュロッド１１は、ロッド状体Ｗのいわゆる後端に当接される先端の径が、また、この先端を含む先端部の径がロッド状体Ｗの径より小さくなるように設定されていて、上記した干渉の機会を減らせるように配慮されている。
【００２３】
ちなみに、この移送手段１を具現化するにあって、図示するところでロッド状体Ｗを押し進める構成たる押出し機構１０とするのは、この押出し機構１０に代えて、ロッド状体Ｗが任意の構成で把持などされながら回転手段２側から引かれる構成とする場合に比較して、このロッド状体Ｗがいたずらに外力作用を受けなくなり、したがって、ロッド状体Ｗを自由な状態に維持することが可能になり、その分、爾後の回転手段２の機能するところに悪影響を与えないことになるからである。
【００２４】
なお、押出し機構１０を構成するプッシュロッド１１は、図示しないアクチュエータの駆動によって同じく図示しない凹溝や溝付きローラ群などからなるガイド内でその軸線方向となる前進および後退を繰り返し、後退時にガイド内に導入されたロッド状体Ｗを前進時に回転手段２側に押出すとしている。
【００２５】
以上からすると、この移送手段１は、押出し機構１０におけるプッシュロッド１１の前進でロッド状体Ｗを回転手段２に向けて移送し得るから、既に回転手段２にあるロッド状体Ｗに直列する状態に連続するつぎのロッド状体Ｗをプッシュロッド１１で押し出すことで、回転手段２にあるロッド状体Ｗをいわゆる前進方向に移動させることが可能になる。
【００２６】
そして、このことからすると、上記したつぎのロッド状体Ｗを移送する速度をこの移送手段１側で制御することによって、回転手段２側におけるロッド状体Ｗの移動速度、すなわち、後述する加熱手段３によるいわゆる単位ストローク当りの加熱時間を任意に制御できることになる。
【００２７】
回転手段２は、上記した移送手段１で移送されてきたロッド状体Ｗをこのロッド状体Ｗの軸線を中心にして回転させるもので、図示する実施形態では、移送手段１から移送されてきたロッド状体Ｗを同一水準位置に水平状態に維持する安定機構２０を有してなるとしている。
【００２８】
そして、この安定機構２０は、図２に示すように、二本の支えロール２１，２２と、一対となる抑えローラ２３とを有してなり、二本の支えロール２１，２２は、原理的には、平行しながら同方向に回転して、この回転状態下に二本の支えロール２１，２２の間に形成されるいわゆる谷部にロッド状体Ｗを臨在させた状態で下方から支えるとしている。
【００２９】
そして、抑えローラ２３は、二本の支えロール２１，２２に回転しながら支えられているロッド状体Ｗに上方から隣接して上記の谷部にあるロッド状体Ｗを下方に、すなわち、谷部に押し付けるようにして、このロッド状体Wを二本の支えロール２１，２２上で同一の水準位置に水平状態に安定させるとしている。
【００３０】
それゆえ、二本の支えロール２１，２２は、ロッド状体Ｗを回転させながら下方から支える限りには自由な構成とされて良いが、多くの場合に、図示するように、ロッド状体Ｗの径に比較すれば大径でありながら同径に形成され、また、多くの場合に、軸線を同じ水準位置で並列させるとするであろう。
【００３１】
ちなみに、二本の支えロール２１，２２は、所定の機能を発揮する限りには、すなわち、ロッド状体Ｗを同一の水準位置に水平状態に維持する限りには、上記したところに代えて、たとえば、径を異ならしめたり、軸線の水準位置を異ならしめたりしても良いことはもちろんである。
【００３２】
そして、抑えローラ２３についても、ロッド状体Ｗに上から隣接されてこのロッド状体Ｗを下方に押し付けるように機能する限りには自由な構成とされて良いが、多くの場合に、図示するように、ロッド状体Ｗの径に近似する径に形成されるであろう。
【００３３】
このとき、図示するところでは、抑えローラ２３の径がロッド状体Ｗの径に比較してやや大きくなる傾向に形成されてなるとするが、所定の抑え機能を発現し得る限りには、やや大きくなる傾向に形成されることに代えて、やや小さくなる傾向に形成されるとしても良い。
【００３４】
ただ、抑えローラ２３の径が、たとえば、ロッド状体Ｗの径の半分以下とされる程に小さく形成されることは、所定の抑え機能を十分に発揮し得ないことになる可能性もあり、好ましくないとされるであろう。
【００３５】
また、逆に、抑えローラ２３の径が大きい方が良いとしても、抑えローラ２３の径を、たとえば、支えロール２１，２２の径より大きくなる程に大きく形成することは、抑えローラ２３が周辺に干渉するなどの障害になる機会を増やすことになり、これまた、好ましくないとされるであろう。
【００３６】
一方、この回転手段２にあって、上記した二本の支えロール２１，２２は、移送手段１から移送されてきたロッド状体Ｗをこのロッド状体Ｗの軸線を中心にして回転させる訳であるが、このとき、二本の支えロール２１，２２は、同期して回転されるのが好ましいことはもちろんである。
【００３７】
ただ、二本の支えロール２１，２２を同期して回転させるのは、実際には簡単ではなく、そのことを勘案すると、二本の支えロール２１，２２のいずれか一方が駆動ロールとされ、他の一本は、従動ロールとされるとしても良く、この場合の方が、結果的に、ロッド状体Ｗを設定通りに回転させるのが容易になるとも言い得る。
【００３８】
一方、抑えローラ２３については、ロッド状体Wを二本の支えロール２１，２２上に安定させる訳であるが、安定させる機能を重視することからすれば、抑えローラ２３の自重による荷重に頼るだけでなく、積極的に荷重を管理する方が得策と言い得る。
【００３９】
そこで、この抑えローラ２３は、図示するところでは、プレッシャ２４からの荷重を受けてロッド状体Ｗに隣接するとしており、このとき、プレッシャ２４は、図示しないが、バネ要素を有してなり、あるいは、シリンダ要素を有してなるなど任意に構成されて良い。
【００４０】
ところで、以上のように形成された安定機構２０における二本の支えロール２１，２２についてだが、図示するところでは、ロッド状体Ｗの長さ寸法より大きい長さ寸法になるように形成される一方で、図３にも示すように、軸線方向の中間部に径を細くする凹部２１ａ，２２ａを有していて、この凹部２１ａ，２２ａで形成される空間に加熱手段３および後述する冷却手段４を臨在させるとしている。
【００４１】
ここで、支えロール２１，２２がロッド状体Ｗより長く形成されるとするのは、支えロール２１，２２がロッド状体Ｗを下方から支えることに起因するもので、特に、加熱手段３で加熱されるときのロッド状体Ｗは、移動されるから、この移動されるロッド状体Ｗを確実に安定状態に支えることからすれば、いわゆる長く形成される方が好ましいことになる。
【００４２】
もっとも、ロッド状体Ｗを確実に安定状態に支えることを可能にする点からすれば、支えロール２１，２２が中間部に凹部２１ａ，２２ａを有する長尺の一体型に形成されるのに代えて、いわゆる前後に分断されてなるとしても良く、また、ロール体からなるのに代えて、複数のローラ体、すなわち、ローラ群からなるとしても良いことになる。
【００４３】
そして、この支えロール２１，２２が上記のローラ群に代えられ、あるいは、上記の分断された態様に代えられる場合には、この発明によるロッド状体の焼入れ装置における全体重量の軽減化に寄与し、また、加熱手段３の配在および冷却手段４の配在の上からは空間が大きくなることになり有利になると言い得る。
【００４４】
ただ、上記の支えロール２１，２２に代えて、上記のローラ群からなり、あるいは、上記の分断された態様からなるとする場合には、いわゆる同期する回転状態を実現するのが容易でなく、実際にこれを具現化する場合のことを考慮すると好ましい選択と言い得ないだろう。
【００４５】
一方、安定機構２０における抑えローラ２３についてだが、図示するように、言わば前後となる一対の間に加熱手段３が垂下される態様に配在されることを鑑みると、いわゆるコンパクトに構成されることが好ましいと言い得る。
【００４６】
しかしながら、この抑えローラ２３は、上方からロッド状体Ｗに隣接してこのロッド状体Ｗを下方の支えロール２１，２２に向けて押し付けるように機能することからすれば、たとえば、ローラ体からなるに代えて、図示しないが、ロール体からなるとしても良く、このロール体からなる場合には、このロール体がロッド状体Ｗに隣接されるときに、その自重でロッド状体Ｗを下方の支えロール２１，２２に向けて押し付けることが可能になり、この限りには、前記したプレッシャ２４の配在を省略し得ることになる点で有利になると言い得る。
【００４７】
ただ、ロッド状体Ｗに上方からのいわゆるプレシャを作用するとき、このロッド状体Ｗが下方の支えロール２１，２２で強制的に回転されていることを鑑みると、長いストロークとなる領域でプレシャを作用するよりも、短いストロークの領域でプレシャを作用する方が下方の支えロール２１，２２の回転を円滑に実現し得る点で好ましくなり、したがって、抑えローラ２３は、ロール体からではなく、図示するように、ローラ体からなるとする方が好ましいであろう。
【００４８】
つぎに、加熱手段３は、前記した回転手段２で回転されながら同じく前記した移送手段１で移送されるロッド状体Ｗを加熱するもので、この実施の形態にあっては、誘導加熱用のコイルたる高周波コイル３０からなるとしている。
【００４９】
そして、この加熱手段３にあっては、高周波コイル３０における環状に形成された加熱部３１を有してなると共に、この加熱部３１の内側にロッド状体Ｗを挿通させてなるとしている。
【００５０】
このとき、前記したように、この発明にあって、ロッド状体Ｗは、回転手段２における安定機構２０、すなわち、二本の支えロール２１，２２と一対の抑えローラ２３とで安定状態に維持される、すなわち、回転手段２の領域にあるときに、上下動されないから、加熱部３１との間の間隔を設定通りに維持することが可能になり、加熱手段３による所定の加熱、すなわち、所定の焼入れを実現し得ることになる。
【００５１】
ところで、この加熱手段３でロッド状体Ｗを加熱するときに、この加熱の硬化の効果がロッド状体Ｗにおけるいわゆる軸芯部に及ばなくて良いことはもちろんであるが、多くの場合に、たとえば、有効硬化深さが１．５ｍｍ以上とされれば良く、また、このときの硬度については、Ｈｖ５５０〜６５０とされることで、このロッド状体Ｗが、たとえば、油圧緩衝器におけるピストンロッドとされる場合の優れた耐磨耗性を保障することが可能になると言い得るであろう。
【００５２】
一方、ロッド状体Ｗを油圧緩衝器におけるピストンロッドとする場合には、図示しないが、このロッド状体Ｗにおける一端部をピストンロッドにおける言わば基端部にするための加工と、このロッド状体Ｗにおける他端部をピストンロッドにおける言わば先端部にするための加工が必要になる。
【００５３】
このとき、このロッド状体Ｗにおける一端部および他端部に対する加工は、ロッド状体Ｗを加熱する前であっても良いのはもちろんのこと、加熱の後でも良いが、いずれにしても、加熱手段３による加熱は、ロッド状体Ｗにおける両端部において省略されるのはもちろんである。
【００５４】
ちなみに、加熱したロッド状体Ｗは、図示しないが、焼戻しされてからピストンロッド用の素材、あるいは、部品とされるが、この焼戻しをするときに、上記した両端部への加工が既になされているとしても良く、また、爾後に施されるとしても良いのはもちろんである。
【００５５】
なお、この発明にあっては、前記した移送手段１は、押出し機構１０で押し出すようにして回転手段２側、すなわち、加熱手段３側にロッド状体Ｗを移送するとするから、このロッド状体Ｗにおいて、加熱前に両端部におけるいわゆる所定の加工が施されているとしても、これが障害になる危惧はない。
【００５６】
すなわち、ロッド状体Ｗの移送を、たとえば、前記したように、任意の構成で把持しながら回転手段２側から引くことによるとする場合には、上記した加工が済んでいる両端部が把持などされる可能性があり、実際に把持などされる場合には、この両端部に傷が残るなどの障害が招来されることを危惧しなければならなくなる。
【００５７】
そして、そこで、ロッド状体Ｗの移送を任意の構成で把持しながら回転手段２側から引くとする場合には、ロッド状体Ｗの両端部への所定の加工は、焼戻しを含めた一連の加熱が終了した後でなければ実践できないことになる。
【００５８】
それに対して、この発明では、上記したように、ロッド状体Ｗの移送を移送手段１における押出し機構１０によるとするから、ロッド状体Ｗの両端部への所定の加工が終了している状態でも焼戻しを含めた一連の加熱を実践できることになる利点があると言い得ることになる。
【００５９】
ところで、この発明では、高周波コイル３０において、加熱部３１が環状に形成されてなるとするが、この高周波コイル３０からなる誘導加熱用のコイルによる加熱にあっては、低周波コイルからなる誘導加熱用のコイルによる加熱の場合に比較して短時間で加熱が実施されるとし、また、加熱によって得られる硬化層の深さを均一にするために、ワークたるロッド状体Wを回転させることからすれば、所定の誘導加熱を実施し得る限りには、加熱部３１が必ずしも環状に形成されていることを要せず、たとえば、切欠円状に、あるいは、円弧状に形成されているとしても良いと言い得る。
【００６０】
そして、加熱部３１が切欠円状あるいは円弧状に形成されている場合には、加熱部３１が環状に形成されている場合に比較して、加熱部３１とロッド状体Wとの設定距離の維持を容易にし、あるいは、加熱部３１へのロッド状体Wの接近操作を容易にするなどの点で有利となるであろう。
【００６１】
冷却手段４は、前記したようにして加熱されたロッド状体Ｗを、すなわち、ロッド状体Ｗにおいて、加熱された部位を加熱終了後に直ちに冷却するもので、冷却に際しての具体的手法としては、図示しないが、冷却ノズルからの、たとえば、水などの冷却材の噴き付けが選択されるのが一般的であろう。
【００６２】
ちなみに、冷却手段４による冷却の際に、冷却材の噴き付けに併せて冷風を噴き付けたりしても良いが、この発明にあっては、ロッド状体Ｗは、軸線方向に移動されながら順次に加熱されるから、全体を一気に加熱して、これを一気に冷却水槽内に投入するような冷却方法は選択できないことはもちろんである。
【００６３】
それゆえ、以上のように形成されたこの発明によるロッド状体の焼入れ装置にあっては、移送手段１おける押出し機構１０がプッシュロッド１１の移動でロッド状体Ｗを回転手段２に向けて押し出すようにして移送させるから、ロッド状体Ｗが回転手段２側から把持されながら引かれる場合に比較していたずらに外力作用を受けなくなり、したがって、爾後に回転手段２で回転されるときにこの回転手段２における安定機構２０によって上下動しないように安定させるのが容易になる。
【００６４】
そして、移送手段１にあって、押出し機構１０におけるプッシュロッド１１の前進速度を適宜に制御することで、回転手段２で回転されながら加熱手段３で加熱されるロッド状体Ｗにおける移動速度を任意に制御できることになる。
【００６５】
また、回転手段３がロッド状体Ｗを回転させるとき、ロッド状体Ｗは、安定機構２０における二本の支えロール２１，２２の間に形成されるいわゆる谷部に臨在されると共に、この谷部にある状態下に上方から抑えローラ２３が隣接されて安定されるから、ロッド状体Ｗが回転手段２にあるときに同一の水準位置に水平状態に維持されて上下動されなくなり、ロッド状体Ｗが高周波コイル３０における環状に形成の加熱部３１の内側を挿通するときにこのロッド状体Ｗがと加熱手段３との間に設定される所定の間隔を維持し得ることになる。
【００６６】
そして、加熱手段３は、高周波コイル３０における環状に形成の加熱部３１の内側に上下動しない状態で挿通するロッド状体Ｗを加熱するから、ロッド状体Ｗに対して設定された所定の加熱をすることで、所望の焼入れを実践することが可能になる。
【００６７】
前記したところでは、回転手段２が支えロール２１，２２と抑えローラ２３とからなる安定機構２０を有していて、この安定機構２０にあって、支えロール２１，２２のいずれかを駆動ロールにする提案をしているが、この発明が意図するところからすれば、これに代えて、抑えローラ２３を駆動ローラにするとしても良いこともちろんである。
【図面の簡単な説明】
【００６８】
【図１】この発明によるロッド状体の焼入れ方法を具現化するロッド状体の焼入れ装置の一実施形態を示す原理図である。
【図２】図１に示す焼入れ装置を側方から観る図である。
【図３】図１に示す焼入れ装置を上方から観る図である。
【符号の説明】
【００６９】
１  移送手段
２  回転手段
３  加熱手段
４  冷却手段
１０  押出し機構
１１  プッシュロッド
２０  安定機構
２１，２２  支えロール
２３  抑えローラ
３０  高周波コイル
３１  加熱部
Ｗ  ロッド状体
【図１】
2006206992.tif 000003
【図２】
2006206992.tif 000004
【図３】
2006206992.tif 000005